(57)【要約】      （修正有）【課題】真珠を美しく加工して、発光させる複角光加工真珠ジュエリーを提供する。【解決手段】真珠１に対して六角形状に堀削り下げ、掘り下げた場所には、高出力発電回路シート３と六角形状の軽水素入り圧電素子磁石体プラス磁極部分４と軽水素入り圧電素子磁石体マイナス磁極部分５を有する軽水素入りフッ化カルシウムビニールシート６から成る、二枚合わせの光瞬間吸収発電シートを真珠１に対して六角形状に堀削り下げた部分に嵌め込み宝石ルビーカット材２を、球面真珠に合わせたり、引っ込めたり、飛出る構造デザインとし、光が当たると軽水素入りフッ化カルシウムビニールシート６に光が吸収され、軽水素入り圧電素子磁石体プラス磁極部分４と軽水素入り圧電素子磁石体マイナス磁極部分５に光電子が流れ、高出力発電回路シート３に超微粒子電子が流れて、再び軽水素入りフッ化カルシウムビニールシート６に増幅電子が流れて発光する。【選択図】図１
0003225009.tif 000002
【実用新案登録請求の範囲】
【請求項１】
真珠を、六角形状に刳り貫き、刳り貫いた場所に軽水素入りフッ化カルシウムビニールシートと軽水素入りフッ化カルシウムビニールシート外周に軽水素入り圧電素子磁石体で囲った軽水素入りフッ化カルシウムビニールシートと高出力発電回路シートを六角形状のカット宝石を組み込む下側に光瞬間吸収発光シートと発電シートを六角形部分カット真珠の底に内蔵させた光を当てると真珠の六角形状のカット宝石を組み込む下側の軽水素ガス入りフッ化カルシウムが光瞬間吸収発電発光する二枚仕掛けのシートを内蔵した発光複角光加工真珠ジュエリー。
【考案の詳細な説明】
【技術分野】
【０００１】
本考案は、真珠を如何に美しく切って加工して現況の真珠拠り、如何に美しく輝かせる世界初の真珠を切って加工する技術と真珠を発光させる技術に関するものである。
【背景技術】
【０００２】
従来の真珠には、黒真珠と白真珠とピンク真珠の三色で有り、バイオテクノロジイーの発光クラゲの発光クラゲ発光遺伝子を使ったバイオ発光真珠などが、公知技術に有る。
【０００３】
この他に、真珠を作る核に対して、軽いアルミニウムを正円球にした盗難防止用の金属核を入れた真珠が公知技術として有る。
【０００４】
更に、ガンマー放射線飛散防止パネルカメラを使った、軽金属に色々な形を記憶させた商品を正円球に擦る為に、プラスチック正球体にした盗難防止真珠核を内蔵させた発光真珠も公知技術で有る。
【０００５】
其の外に、バカ貝又はカラス貝と呼ばれる淡水真珠を作る際に、海底の発光クラゲの赤色及びオレンジ色及び紫色及び緑色及び青色及び黄色及び赤紫色等の発光淡水真珠等も、公知技術で有り、バイオ技術を駆使して、作る際発光クラゲ遺伝子と超微量の化学発光色素材を合わせてバイオ擦る二通り一度にバイオ技術とした公知技術に成る。
【０００６】
更に、ホタテ貝のパールに対しても、発光クラゲの遺伝子を入れた発光ホタテパール等も、公知技術に成る。
【０００７】
世界で一番大きい貝に、発光クラゲ遺伝子を組み込んだ、世界で一番大きい発光真珠に成るが、使用用途を、決めて無い現状で有るが、水槽の中の大型発光デザイン真珠に成る。
【０００８】
真珠を使った、小粒ダイヤデザイン真珠指輪が既に、存在している市販商品等は存在して入る。
【０００９】
この他の、真珠イヤリングも、古くから、真珠指輪と真珠イヤリングとネックレス真珠等の三点セットは、古くから存在して入る。
【００１０】
其の外の、真珠玉を、正円球に擦る技術とは、真珠貝に入れる核を、正円球核に擦ると正円球の真珠貝の巻玉真珠が出来る公知技術説明。
【先行技術文献】
【特許文献】
【００１１】
【特許文献１】特開公報２０１６―１０６２９４号の国の全額借金返済と都道府県市町村区の全額借金返済の為の知的所有財産のもし石炭石油天然ガス水素が無くなった場合の世界像と対処の有り方対処の為の全自動ロボット家電システム装置の著作権原本。
【特許文献２】特許公開２０１５―１６７４７０号の国の全額借金返済と都道府県市町村区の全額借金返済後に対して自給自足型の農業及び漁業及び林業及び中小企業が世界凸プの日本円銀行団体と世界最高銀行団体と成る為の完全自給自足物流システムに対しての知的所有財産を使った財団経営の未来的農業漁業林業一体型中小企業体システム。
【特許文献３】特開公報２０１４―００８０６２号の農業用地熱暖房パネル。
【特許文献４】特開公報２０１３―２４２８８２号の国会議員が必ず読んで借金返済対策を決めなければ成らない国と都道府県市町村区の全額借金返済の為の著作権５０００図未満の公開文書図と著作権編集機著作権原本。（企業と国及び都道府県市町村が特許権で無い企業の特許提出によって著作権編集機著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の新技術の著作権物技術。
【特許文献５】特開公報２０１３―２３４５７１号の未来の別の美瑛街に出来る世界遺産を目指す為の永遠に壊さないクリスタルダイヤガラスビルに伴う修身介護システムの著作権原本。
【特許文献６】特開公報２０１３―２０９７９２号の６５歳を過ぎてから使用する溶鉱炉及び陶器の火焼きに使用する耐熱エアー服と陶器ガラスの材料説明の著作権原本。
【特許文献７】特開公報２０１３―１７８８５３号の日本の弱者一人一人の財団設立後の日本の弱者一人一人の財団商品に貼られる全自動インターネット管理社会のカラー異種異形バーコードシステム。
【特許文献８】特開公報２０１３―１２７１４５号の国の全額借金返済と都道府県市町村区の全額借金返済の為の知的所有財産の稲の茎笹の茎ナイロン合成の固形窒素糸と果物粉末色を使用した冷却糸。（企業と国及び都道府県市町村が特許権で無い企業の特許提出によって稲の茎笹の茎ナイロン合成の固形窒素糸と果物粉末色を使用した冷却糸商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【特許文献９】特開公報２０１３―１０２６８８号の国の全額借金返済と都道府県市町村区の全額借金返済の為の多機能電気トラクターの著作権原本
【特許文献１０】特開公報２０１３―０９４０５７号の国の全額借金返済と都道府県市町村区の全額借金返済の為の世界最速の超電導リニアーモーターカーシステム全体の著作権考案原本。（企業と国及び都道府県市町村が特許権で無い企業の特許提出によって世界最速の超電導リニアーモーターカーシステムの知的所有財産の技術を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【特許文献１１】特開公報２０１３―０９３８９６号の国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
【特許文献１２】特開公報２０１３―０９１５７０号の国の全額借金返済と都道府県市町村区の全額借金返済の為の知的所有財産の携帯電話及び携帯無線装置による非常停止非常制御操作出来るエレベーター磁極切り換えインバータ制御レールモーター装置の著作権原本。
【特許文献１３】特開公報２０１３―０９１３２３号の国の全額借金返済と都道府県市町村区の全額借金返済の為の知的所有財産の偽造防止紙幣硬貨原本。（企業と国及び都道府県市町村が特許権で無い企業の特許提出によって偽造防止紙幣硬貨の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【特許文献１４】特開公報２０１３―０９０９４８号の地方経営の医療施設の技術向上と国の全額借金返済と都道府県市町村区の全額借金返済の為の知的所有財産の圧電素子陽電子静電気及び圧電素子陰電子静電気細胞蘇生リバビリテイション装置著作権原本。（北海道知事著作権郵便物受理書付。）。
【特許文献１５】特開公報２０１３―０８３２６８号の地方の売電利益を、上げる為と海外水力と火力と原子力発電の高出力ダイナモの増量発電技術の海外売電契約の国と都道府県市町村の全額借金返済の為の決定的な電力不足を、補う為の一般に知られて入る半永久の水力ダムの高出力ダイナモ積載の増幅発電型の半永久型の水循環増幅発電システム。
【特許文献１６】特開公報２０１３―０８２４４８号の国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【特許文献１７】特開公報２０１３―０７８６５６号の地方経営の工場の国の全額借金返済と都道府県市町村区の全額借金返済の為の無知的所有財産のスピーカー振動ゴミ取り機能付き掃除機著作権原本。
【特許文献１８】特開公報２０１３―０７７５７６号の国の全額借金返済と都道府県市町村区の全額借金返済の為の知的所有財産のバッテリー再復活充電バッテリー装置の著作権原本。（企業と国及び都道府県市町村が特許権で無い企業の特許提出によってバッテリー再復活充電バッテリー装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【特許文献１９】特開公報２０１３―０７０６１８号の国の全額借金返済と都道府県市町村区の全額借金返済の為の世界最速ウルトラスーパーコンピューター装置の著作権原本と著作権追加原本。（企業と国及び都道府県市町村が特許権で無い企業の特許提出によって世界最速ウルトラスーパーコンピューター装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の先著作権技術主張の知的所有財産の著作権に成る。
【特許文献２０】特開公報２０１３―０６７６５４号の国の全額借金返済と都道府県市町村区の全額借金返済の為の知的所有財産の夏専用の果物香料入り冷却ファンドクリームと冬専用の果物香料入りの暖房ファンドクリームの著作権原本。（企業と国及び都道府県市町村が特許権で無い企業の特許提出によって夏専用の果物香料入り冷却ファンドクリームと冬専用の果物香料入りの暖房ファンドクリームの著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の崎著作権技術文書図主張の知的所有財産の著作権に成る。
【特許文献２１】特開公報２０１２―２３６６０６号の国の全額借金返済と都道府県市町村区の全額借金返済の為の知的所有財産の多機能電気観光船著作権原本。
【特許文献２２】特開公報２０１２―２３６６０５号の国の全額借金返済と都道府県市町村区の全額借金返済の為の知的所有財産の多機能電気モータープロペラ飛行機原本。
【特許文献２３】特開公報２０１２―２１０７０３号の国の全額借金返済と都道府県市町村区の全額借金返済の為の多機能インプット全自動ロボットの著作権原本。
【特許文献２４】特開公報２０１２―１８７００１号のテレビ局の目と有識者の目と大学教授の目と共に国民の電気エネルギー危機の再チェックと試作が必要と思われる電力不足危機対応の対策案の為に公開する、国の危機の全額借金返済の為の新２連振子型機械式無害無給油無休憩発電機。（半永久連続作動発電機。）。
【特許文献２５】特開公報２０１２―１７００６３号の国の全額借金返済と都道府県市町村区の全額借金返済の為の知的所有財産の圧電素子補助急速充電携帯電話著作権原本。
【特許文献２６】特開公報２０１２―１６６９５１号の国の全額借金返済と都道府県市町村区の全額借金返済の為の知的所有財産の生ゴミ真空装置粉末処理車著作権原本。
【特許文献２７】特開公報２０１２―１４０５８４号の国の全額借金返済と都道府県市町村区の全額借金返済の為の炭素固形フロン著作権原本。
【特許文献２８】特開公報２０１２―１２０４４０号の国の全額借金返済と都道府県市町村区の全額借金返済の為の多機能電気自動車著作権原本。
【特許文献２９】特開公報２０１２―１１６７２７号の国の全額借金返済と都道府県市町村区の全額借金返済の為の知的所有財産の最速スクリュー水電気消防装置著作権原本。
【特許文献３０】特開公報２０１２―１０８１４０号の国の全額借金返済と都道府県市町村区の全額借金返済の為の知的所有財産の化石燃料一切必要としないレントゲンカメラ放射線飛散防止パネル装置著作権原本。
【特許文献３１】特開公報２０１２―１０１７９０号の国の全額借金返済と都道府県市町村区の全額借金返済の為の知的所有財産のワンタッチ全自動エアー浮輪著作権原本。
【特許文献３２】特開公報２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）。
【特許文献３３】特開公報２０１２―０９７５５９号の国の全額借金返済と都道府県市町村区の全額借金返済の為の知的所有財産の化石燃料一切必要としない高速瞬間気化処理除雪車著作権原本。
【特許文献３４】特開公報２０１２―０９７５５８号の国の全額借金返済と都道府県市町村区の全額借金返済の為の知的所有財産の固形窒素プラスチックグラスフアイバーパネル著作権原本。
【特許文献３５】特開公報２０１２―０９４５４８号の国の全額借金返済と都道府県市町村区の全額借金返済の為の知的所有財産の光りフアイバーブラウン官テレビ著作権原本。
【特許文献３６】特開公報２０１２―０７７６０７号の国の全額借金返済と都道府県市町村区の全額借金返済の為の知的所有財産のヘドロ処理運搬車装置の著作権原本。
【特許文献３７】特開公報２０１２―０５６５５８号のパワーアップハイブリッド車。
【特許文献３８】特開公報２０１２―０５２７８８号の国の全額借金返済と都道府県市町村区の全額借金返済の為の知的所有財産の化石燃料一切必要としない電気ストーブ著作権原本。
【特許文献３９】特開公報２０１２―０１１２１１号の国の全額借金返済と都道府県市町村区の全額借金返済の為の全自動最速電気洗濯乾燥機著作権原本。
【特許文献４０】特開公報２０１１―２３３２２８号の多機能ビデオ著作権原本。
【特許文献４１】特開公報２０１１―２１５１４８号の電子熱核燃料原石核融合発電と放射能廃棄物処理方法。
【特許文献４２】特開公報２０１１―２０９２９０号の多目的カーナビゲイション著作権原本と都道府県市町村区と国の全額借金返済と弱者自立社会を目指す為の２００１年からの道民財産著作権原本。
【特許文献４３】特開公報２０１１―２０５８９５号の多機能情報冷暖房無休憩発電機（原子力事故及び地震事故対応型。）。（無害無給油の無休憩の半永久全自動作動発電機型。）。
【特許文献４４】特開公報２０１１―２０５６７５号の多機能携帯電話装置原本。
【特許文献４５】特開公報２０１１―２０２４９８号の一戸建て免震装置著作権原本及び国の全額借金返済と都道府県市町村区の全額借金返済と弱者自立と救済の著作権技術説明の２００１年からの道民財産著作権。
【特許文献４６】特開公報２０１１―１５５２６７号の超軽量高出力発電人工衛星。
【特許文献４７】特開公報２０１１―１０５３０７号の未来的電気自動車。
【特許文献４８】特開公報２０１１―０６４０６０号の日本の弱者国民救済の地震対応型の多機能発電ハウスシステム。
【特許文献４９】特開公報２０１１―０６０２９４号の発電タッチパソコン発電タッチパソコン。
【特許文献５０】特開公報２０１０―１７１９４３号の多機能新技術携帯電話。
【特許文献５１】特開公報２０１０―１６５３５５号の国の９００兆円越えの借金全額返済の為の世界最新の公共事業対策装置。
【特許文献５２】特開公報２００６―２５４６９７号の全レールモーター制御無害無給油発電機を使用した電気自動車。
【特許文献５３】特開公報２００４―３０４９９３号の一度に複数の電気配線と複数の電気コイルを持ち得て焼けないで力のあるモーターのあり方。
【特許文献５４】特開公報２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）。
【特許文献５５】特開公報２００４―１３５４８０号の自動充電池。
【特許文献５６】特開２００３―３２８９２５号の真空装置と機械式発電機を使った水だけの発電機。
【特許文献５７】登録実用新案第３１６８０４３号公報の高出力発電７連結以上モーター。
【特許文献５８】登録実用新案第３１４５９６３号公報の省エネルギー水気化水発電機（別名水発電機。）。
【特許文献５９】登録実用新案第３１１４４９１号公報の二連結以上モーター。
【特許文献６０】登録実用新案第３２０３１０６号公報の国の全額借金返済と都道府県市町村区の全額借金返済に対して知事の回答が無い対策として、時効の無い国の借金返済対策として美瑛まちの庶民全体の生活権維持を守る為の知的所有財産の著作権活用と先著作権技術主張を美瑛まちが優先し、電気スピードと同じ速さで電気を流す事の出来る高出力銅筒管コイル配線と無金属二重配線に対しての知的所有財産の盗作防止の為の先著作権活用公開技術。
【特許文献６１】登録実用新案第３２０３１０５号公報の国の全額借金返済と都道府県市町村区の全額借金返済の為の日本国内で販売されている商品に対しての国内特許権番号の明示義務と海外輸出商品に対しての海外国の特許権番号明示義務と海外審査請求の番号を商品自体に明示で無く完全な商品販売に対しての商品のパンフレット特許番号記載説明書とインターネット特許番号記載義務と審査請求書記載義務と新聞のチラシいずれかの特許権番号の記載義務とテレビ局宣伝部の知的所有権の特許権データー集計管理書の特許権番号記載義務に対して知的所有財産の番号の明示義務として、法人税の国の収集を多くし個人資産の不当の商品の値段に対して騙されない様にする対策の無料の特許権番号公開で無ければ、不正競争防止法の罰金の１００倍を日本国税収不足分として国会で国税と通常個人賠償として決めて貰う事にして技術横領行為に対して国税を主な国の税金の収集源とするテレビ画像の新作パネルの低価格テレビの最初の著作権者との特許権切れに対し新技術特許権切れの著作権契約から始まる商品作り説明。
【特許文献６２】登録実用新案第３２０６０６５号公報の国の全額借金返済擦る事と農業漁業林業中小企業の自給自足社会と共産党時代から続く企業資産の上の農業漁業林業中小企業合併の世界一銀行を作る為の高出力六角形状圧電素子連結発電回路型コイル無ライトレールモーターシステム装置。
【考案の概要】
【考案が解決しようとする課題】
【００１２】
真珠を、拠り美しく輝かせる為に、発光クラゲ遺伝子操作の発光真珠以外の発光真珠技術として、固形水素ガス入りフッ化カルシウム及び固形軽水素ガス入りフッ化カルシウムを、真珠を二つ切りにして、中を刳り貫き、光瞬間吸収発光材の固形軽水素ガス入りフッ化カルシウム剤を入れる事に拠って、真珠自体に強い光及びライト光を当てる事に拠って、真珠を輝かせる技術に成るが、真珠自体を拠り一層輝かせる為に、真珠の加工と他の透過宝石を選ぶ事が問題点に成る。
【課題を解決するための手段】
【００１３】
本考案は、通常真珠及び淡水パールと呼ばれて入る軽量宝石の加工つまり、真珠及び淡水パールを二つ切りにして中を刳り貫き、刳り貫いた場所に固形軽水素ガス入りフッ化カルシウム剤を入れる事に拠って光を瞬間吸収発光させる技術に成り、更に真珠を拠り輝かす為に、小粒ダイヤ及び小粒ルビー及び小粒サファイア及び小粒エメラルド等を、真珠の円形表面拠り、マイクロ数ミリ下げた位置に透明接着剤等で接着固定する事で、小粒ダイヤ及び小粒ルビー及び小粒サファイア及び小粒エメラルド等の外部の光を当てる事で、小粒ダイヤ及び小粒ルビー及び小粒サファイア及び小粒エメラルド等に光が当たると同時に、透過性の有る宝石から、真珠内部の固形軽水素ガス入りフッ化カルシウム剤に外部の光が吸収されて、固形軽水素ガス入りフッ化カルシウム剤が発光擦る為に、小粒ダイヤ材及び小粒ルビー材及び小粒サファイア材及び小粒エメラルド材が固形軽水素ガス入りフッ化カルシウム剤が光吸収発光して、真珠までも発光擦る状態に成る。
【００１４】
本考案の発光真珠を、ライト光発光材に変える為に、固形水素ガス入りフッ化カルシウム及び固形軽水素ガス入りフッ化カルシウムに対して、固形水素ガスとアルゴンガス入りフッ化カルシウム剤とび固形軽水素ガスとアルゴンガス入りフッ化カルシウムは、アルゴンガスと水素及び軽水素は、水素及び軽水素に対して、フッ化カルシウム水素入り及びフッ化カルシウム軽水素ガス入りで、発光擦る際は、混合水素ガスアルゴンガス入りフッ化カルシウムでは、水素中の軽水素イオン電子がアルゴンガスとフッ化カルシウムにイオン電子つまり、イオン電気が流れる為に、ライト色に発光擦る発光真珠と宝石に成る。
【００１５】
本考案の発光真珠を、ネオン色の様に発光させる場合は、固形水素ガスとネオンガス入りフッ化カルシウム剤は、ネオンガス水素イオン電子ガス入りフッ化カルシウム剤に光が当たると水素イオン電子が光吸収して、フッ化カルシウム剤とネオンガスが発光擦る仕組みに成り、つまりフッ化カルシウム自体及びネオンガス自体に光を、当てても発光しない事と、フッ化カルシウム自体に電気を通しても、最初は、発光しても時期に消える現象とは、フッ化カルシウム無いイオン電子量が少ない事とフッ化カルシウム内のイオンガスの蒸発と言える。
従って、水素ガスの増幅電気技術及び軽水素ガスの増幅電気技術は、高出力ソーラーパネル技術及び高出力六角形状圧電素子発電回路技術及び高出力六角形状圧電素子発電回路レールモーター技術で、既に、水素イオンガスと軽水素イオンガスの電気増幅ガス説明は既に公知技術に成る。
【００１６】
本考案の発光真珠技術の軽水素ガス入りフッ化カルシウム剤と水素ガス入りフッ化カルシウム剤を使った二重ライト技術は、既に公知技術で有り、二重ライト技術を使ったアルゴンガス入りビニールパネルとテレビ絵像回路配線の組み合わせテレビも、発光パネルの公知技術とテレビパネルの公知技術に拠り、他の者の特許権及び実用新案登録商標に成らない技術と技術盗作に成る。  
【００１７】
本考案の発光真珠の発光技術には、水素ガスとアルゴンガスをフッ化カルシウムに入れて液体透過プラスチック又は液体ビニール等で良く撹拌してシート状にする技術と軽水素ガスとアルゴンガスをフッ化カルシウムに入れて液体透過プラスチック又は液体ビニール等で良く撹拌してシート状にする技術と水素ガスとネオンガスをフッ化カルシウムに入れて液体透過プラスチック又は液体ビニール等で良く撹拌してシート状にする技術と軽水素ガスとネオンガスをフッ化カルシウムに入れて液体透過プラスチック又は液体ビニール等で良く撹拌してシート状にする技術と水素ガスとネオンガスとアルゴンガスをフッ化カルシウムに入れて液体透過プラスチック又は液体ビニール等で良く撹拌してシート状にする技術と水素ガスとネオンガスとアルゴンガスをフッ化カルシウムに入れて液体透過プラスチック又は液体ビニール等で良く撹拌してシート状にする技術と発電回路シートと軽水素入り圧電素子磁石体外周磁力線部分と中央の軽水素入りフッ化カルシウム入りビニールシート方式の大きく分けて二通りの発光技術手段と真珠自体を、発光真珠に変えるバイオの遺伝子操作技術が有る。
【考案の効果】
【００１８】
上述の様に、本考案の発光複角光加工真珠ジエリーは、真珠を世界で初めて切って加工擦る技術と真珠内に光瞬間吸収発光物質の水素ガスとネオンガス入りのフッ化カルシウム剤を入れる事と小粒の炭素抜き硝子ダイヤ及び低価格のルビー材及びエメラルド材及び淡水パール材を使って、淡水パールの加工に拠って、本発光真珠ジュエリー以外の淡水パール発光ジュエリーを低価格で提供擦ると同時に、世界で一番美しくて軽いジュエリーを弱者庶民に提供出来る。
【図面の簡単な説明】
【００１９】
【図１】本考案の発光真珠指輪のカットダイヤ及びカットルビー及びカットサファイア及びカットエメラルドを真珠の一部分を刳り貫いて発光材を入れたデザイン発光真珠指輪の正面図。
【図２】本考案の発光真珠指輪に対して、ルビーパウダーとエメラルドパウダーとサファイアパウダーのデザイン真珠カット方式の２４金とプラチナ２４交互デザインの発光真珠指輪の正面図。
【図３】本考案の発光真珠のルビー勾玉及びサファイア勾玉及びエメラルド勾玉ネックレス発光真珠の参考図。
【図４】本考案の発光真珠の掘り下げ花弁発光真珠及び掘り下げプラチナ２４と２４金ゴールドの組み合わせ発光真珠ネックレス参考説明図。
【図５】本考案の発光真珠ネックレスの繋ぎ金具の参考説明図。
【図６】本考案の発光真珠ネックレスの繋ぎ金具の図番号入り参考説明図。
【考案を実施するための形態】
【００２０】
図１に掲げる発光真珠指輪は、１の真珠に対して六角形状に堀削り下げ、掘り下げた場所には、３の高出力発電回路シートと六角形状の外側が４の軽水素入り圧電素子磁石体プラス磁極部分と５の軽水素入り圧電素子磁石体マイナス磁極部分に成る６の軽水素入りフッ化カルシウムビニールシートに成り、二枚合わせの光瞬間吸収発電シートを１の真珠に対して六角形状に堀削り下げた部分に嵌め込み２の宝石ルビーカット材を、球面真珠に合わせたり、引っ込めたり、飛出る構造デザイン技術に拠って光が当たると６の軽水素入りフッ化カルシウムビニールシートに光が吸収され、４の軽水素入り圧電素子磁石体プラス磁極部分と５の軽水素入り圧電素子磁石体マイナス磁極部分に光電子が流れ、３の高出力発電回路シートに超微粒子電子が流れて、再び６の軽水素入りフッ化カルシウムビニールシートに増幅電子が流れて２の宝石ルビーカット材発光と１の真珠発光に成るジュエリー説明。
更に、２５のプラチナ台に対して、７の２４金ゴールドと８のプラチナ２４と９のカットルビー材と１０のカットイエローサファイアと１１のカットグリーンエメラルドと１２のカット真珠を交互に２５のプラチナ台に対して嵌め込み接着した１の真珠指輪デザイン説明。    
【００２１】
図２に掲げる発光真珠指輪は、１３のブルー発光真珠と１４のイエロー発光真珠と１５のグリーン発光真珠と１６のオレンジ発光真珠と１７のピンク発光真珠と１８のホワイト発光真珠と１９のレッド発光真珠と２０のブラック発光真珠と２１のレインボー発光真珠と発光真珠部分を掘り下げた場所に２２のルビー粉パウダーデザイン画と２３のエメラルド粉パウダーデザイン画と２４のサファイア粉パウダーデザイン画などを駆使した２５のプラチナ台に７の２４金ゴールドと８のプラチナ２４を交互に貼り付けた発光真珠指輪説明。
【００２２】
図３に掲げる発光真珠ルビー勾玉入り発光真珠ネックレスは、７の２４金ゴールドの２８の差し込み場所に対して、３０のカギ部分に対して３１のステンレス永久磁石板部分底が続き８のプラチナ２４に対して３１のステンレス永久磁石板部分底が連なる２７の連結金具ジュエリーに留め金に成る。
更に、１２のカット真珠に対しては、３５のルビー勾玉デザイン他石有りを使用し、７の２４金ゴールド連結金具には、３４の永久磁石体ステンレスパネル張りプラチナ勾玉嵌め込み体に成り、２５のプラチナ台に対しては、３４の永久磁石体ステンレスパネル張り２４金ゴールド勾玉嵌め込み体に成る２６の交互複層体に成り、２９のステンレス永久磁石板部分に拠って、引っ掛け磁石接合に成る構造。
そして、３３のステンレス永久磁石体パネル張り下げ部分に対しては、２７の連結金具に対して３２の２４金台突起構造に成り、３５のルビー勾玉デザイン他石有りは、３６の平面と３７の球面と３８の菊門２４金ゴールド菊門プラチナ２４入り炭素抜き超圧縮硝子鋼ダイヤと３９の二重突起透過硝子ダイヤなどがルビー勾玉及びエメラルド勾玉及びサファイア勾玉などにカラーダイヤの小粒が取り付く構造の参考説明に成る。
【００２３】
図４に掲げるプラチナ２４と２４金ゴールドの組み合わせ発光真珠ネックレスは、１の真珠を六角形状に切り込み穴を開けた場所に代わりの宝石を４０の小粒ルビーと４１の小粒サファイアと４２の小粒ダイヤ
と４３の小粒エメラルドを嵌め込んだ１の真珠ネックレスに成り、４４の金具に依って止めたり外したり出来る１の真珠ネックレスに成り、４５の掘り下げ花弁真珠と４６の掘り下げ２４金ゴールドラインと４７の掘り下げプラチナ２４に依って構成されている１の真珠ネックレス参考説明に成る。
更に、イヤリングは、１の真珠を円形状に切り抜いて５２のハートの部分だけ軽水素入りフッ化カルシウムシート入りに成る。
そして、１の真珠イヤリングは、５１の真珠を半分に切って刳り貫いて軽水素入りフッ化カルシウムカルシウムを詰める作業と４９の二つ切り真珠に対して、５０の掘り下げカットダイヤと５３の軽水素入りフッ化カルシウム内張と４８の軽水素入りフッ化カルシウムプラスチックシート入りの４０の小粒ルビーと４１の小粒サファイアと４２の小粒ダイヤと４３の小粒エメラルドに４８の軽水素入りフッ化カルシウムプラスチックシートを入れた一定方向にレール状に移動する５４のイヤリング揺れて二つに割れる真珠の参考説明に成る。
【００２４】
図５に掲げる発光真珠ネックレスの繋ぎ金具図面の北海道知事宛てに、２０１９年８月１３日に福島県富岡町からハガキ図面として送付した原本の写し文書参考図。
【００２５】
図６に掲げる発光真珠ネックレスの繋ぎ金具図面に成り、５５のカギ外れ防止スプリングカバー方式では、５６のネックレス金具と５７のカギ掛け方式に成る。
更に、６１の発光真珠留め金は、１の真珠に対して、６０のネジ穴を真珠に開け、５９のネジ付の５８の真珠又は淡水パールを６２のプラチナ金具と６３のＳ字型金具に取り付けた全体が発光真珠の列つなぎパールジュエリーに成る様にした装置の参考説明に成る。
【符号の説明】
【００２６】
１     真珠
２     宝石ルビーカット材
３     高出力発電回路シート
４     軽水素入り圧電素子磁石体プラス磁極部分
５     軽水素入り圧電素子磁石体マイナス磁極部分
６     軽水素入りフッ化カルシウムビニールシート
７     ２４金ゴールド
８     プラチナ２４
９     カットルビー材
１０   カットイエローサファイア
１１   カットグリーンエメラルド
１２   カット真珠
１３   ブルー発光真珠
１４   イエロー発光真珠
１５   グリーン発光真珠
１６   オレンジ発光真珠
１７   ピンク発光真珠
１８   ホワイト発光真珠
１９   レッド発光真珠
２０   ブラック発光真珠
２１   レインボー発光真珠
２２   ルビー粉パウダー
２３   エメラルド粉パウダー
２４   サファイア粉パウダー
２５   プラチナ台
２６   交互複層体
２７   連結金具
２８   差し込み場所
２９   ステンレス永久磁石板部分
３０   カギ部分
３１   ステンレス永久磁石板部分底
３２   ２４金台突起
３３   ステンレス永久磁石体パネル張り下げ部分
３４   永久磁石体ステンレスパネル張りプラチナ勾玉嵌め込み体
３５   ルビー勾玉デザイン他石有り
３６   平面
３７   球面
３８   菊門２４金ゴールド菊門プラチナ２４入り炭素抜き超圧縮硝子鋼ダイヤ
３９   二重突起透過硝子ダイヤ
４０   小粒ルビー
４１   小粒サファイア
４２   小粒ダイヤ
４３   小粒エメラルド
４４   金具
４５   掘り下げ花弁真珠
４６   掘り下げ２４金ゴールドライン
４７   掘り下げプラチナ２４
４８   軽水素入りフッ化カルシウムプラスチックシート
４９   二つ切り真珠
５０   掘り下げカットダイヤ
５１   真珠を半分に切って刳り貫いて軽水素入りフッ化カルシウムカルシウムを詰める
５２   ハートの部分だけ軽水素入りフッ化カルシウムシート入り
５３   軽水素入りフッ化カルシウム内張
５４   イヤリング揺れて二つに割れる真珠
５５   カギ外れ防止スプリングカバー方式
５６   ネックレス金具
５７   カギ掛け方式
５８   真珠又は淡水パール
５９   ネジ
６０   ネジ穴
６１   発光真珠留め金
６２   プラチナ金具
６３   Ｓ字型金具
【図１】
0003225009.tif 000003
【図２】
0003225009.tif 000004
【図３】
0003225009.tif 000005
【図４】
0003225009.tif 000006
【図５】
0003225009.tif 000007
【図６】
0003225009.tif 000008
【手続補正書】
【提出日】令和1年11月11日(2019.11.11)
【手続補正１】
【補正対象書類名】実用新案登録請求の範囲
【補正対象項目名】全文
【補正方法】変更
【補正の内容】
【実用新案登録請求の範囲】
【請求項１】
真珠を六角形状に刳り貫いた場所に高出力発電回路シートを、敷き次に六角形状軽水素入り圧電素子磁石体で囲った軽水素入りシリコンビニール光瞬間吸收発電シートを、二枚目に敷き三枚目に軽水素入りフッ化カルシウムビニール発光シートを、敷く事に依って六角形状のカット宝石を組み込む下側に光瞬間吸収発電シートと光発光を瞬間吸収発電出来る六角形状圧電素子発電回路シートを、六角形部分カット真珠の底に内蔵させた光を、当てると真珠の
0003225009.tif 000009
発電回路シートに依って光磁気電気増幅変換発電出来る光瞬間吸収発電と電気増幅出来る、二枚合わせ仕掛けのシートを、内蔵した  光瞬間吸收発光出来る複角光加工真珠ジュエリー。